【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
下段のパネル本体に設けられた連結部材の下段の前記パネル本体から突出した端部が上段のパネル本体の背面に当接して上段の前記パネル本体の背面を押さえると共に、上段のパネル本体に設けられた連結部材の上段の前記パネル本体から突出した端部が下段の前記パネル本体の背面に当接して下段の前記パネル本体の背面を押さえて、上段の前記パネル本体の壁面背面側へ倒れる力が各前記連結部材を介して上段および下段の各前記パネル本体の背面で受けられ、かつ、上段の前記パネル本体の壁面前面側へ倒れる力が転倒防止部材で受けられて、上段の前記パネル本体が下段の前記パネル本体上に自立し、隣接する上段および下段の各前記パネル本体が複数段垂直に積み上げられて壁面を構成することを特徴とする壁面構造。
【請求項２】
前記パネル本体の上方に端部が突設された前記連結部材と前記パネル本体の下方に端部が突設された前記連結部材とは、一方向において互いに揃わないように所定間隔ずらして前記パネル本体に配置されていることを特徴とする請求項１に記載の壁面構造。
【請求項３】
パネル本体の上端部または下端部の少なくとも何れか一方に設けられて隣接するパネル本体の下端部または上端部に係合する係合部が前記パネル本体に設けられ、
下段の前記パネル本体に設けられた連結部材の下段の前記パネル本体から突出した端部が上段の前記パネル本体の背面に当接して上段の前記パネル本体の背面を押さえると共に、下段の前記パネル本体の上端部に設けられた前記係合部が上段の前記パネル本体の下端部もしくは上段の前記パネル本体の下端部に設けられた前記係合部が下段の前記パネル本体の上端部に係合して、上段の前記パネル本体の壁面背面側へ倒れる力が前記連結部材および前記係合部を介して上段の前記パネル本体の背面および上段の前記パネル本体の下端部もしくは下段の前記パネル本体の上端部で受けられ、かつ、上段の前記パネル本体の壁面前面側へ倒れる力が転倒防止部材で受けられて、
または、上段の前記パネル本体に設けられた連結部材の上段の前記パネル本体から突出した端部が下段の前記パネル本体の背面に当接して下段の前記パネル本体の背面を押さえると共に、上段の前記パネル本体の下端部に設けられた前記係合部が下段の前記パネル本体の上端部もしくは下段の前記パネル本体の上端部に設けられた前記係合部が上段の前記パネル本体の下端部に係合して、上段の前記パネル本体の壁面背面側へ倒れる力が前記連結部材および前記係合部を介して下段の前記パネル本体の背面および下段の前記パネル本体の上端部もしくは上段の前記パネル本体の下端部で受けられ、かつ、上段の前記パネル本体の壁面前面側へ倒れる力が転倒防止部材で受けられて、
上段の前記パネル本体が下段の前記パネル本体上に自立し、隣接する上段および下段の各前記パネル本体が複数段垂直に積み上げられて壁面を構成することを特徴とする壁面構造。
【請求項４】
前記係合部は、隣接する前記パネル本体に係合する係合面が隣接する前記パネル本体と所定の間隔があくように設けられていることを特徴とする請求項３に記載の壁面構造。
【請求項５】
前記係合部は、隣接する前記パネル本体に係合する係合面側に出し入れ自在な調整治具を介して隣接する前記パネル本体に係合することを特徴とする請求項４に記載の壁面構造。
【請求項６】
前記連結部材は、隣接する前記パネル本体に当接する係合面が隣接する前記パネル本体と所定の間隔があくように設けられていることを特徴とする請求項１から請求項５のいずれか１項に記載の壁面構造。
【請求項７】
前記連結部材は、前記パネル本体に取り付けられる取付面と前記パネル本体との間に前記所定の間隔をあける調整材が介挿されて、前記パネル本体に着脱自在に取り付けられることを特徴とする請求項６に記載の壁面構造。
【請求項８】
前記パネル本体は、前記連結部材の取付部分の厚さが、前記連結部材の前記係合面と対峙する部分の隣接する前記パネル本体の厚さより厚いことで、隣接する前記パネル本体と前記係合面との間に前記所定の間隔があくことを特徴とする請求項６に記載の壁面構造。
【請求項９】
前記連結部材は、隣接する前記パネル本体に当接する係合面側に出し入れ自在な調整治具を介して隣接する前記パネル本体に当接することを特徴とする請求項６から請求項８のいずれか１項に記載の壁面構造。
【請求項１０】
前記連結部材は、前記パネル本体との取付箇所よりも前記端部の反対側に離れた前記一端に、前記パネル本体の背面に当接する支点が設けられていることを特徴とする請求項１から請求項９のいずれか１項に記載の壁面構造。
【請求項１１】
前記転倒防止部材は、隣接する各前記パネル本体の各前記連結部材を相互に固定する、または、隣接する前記パネル本体の一方の前記連結部材と他方の前記パネル本体とを相互に固定する、または、隣接する各前記パネル本体自体を相互に固定する、または、前記パネル本体の背面どうしが対向して構成される壁面の各前記パネル本体自体を相互に固定することを特徴とする請求項１から請求項１０のいずれか１項に記載の壁面構造。
【請求項１２】
前記転倒防止部材は、一端が前記パネル本体の背面に取り付けられ、他端が、前記パネル本体の背面に充填された裏込部の硬化した表層部に固定されて、前記パネル本体の背面および前記裏込部の表層部間に設けられた引張材から構成されることを特徴とする請求項１から請求項１０のいずれか１項に記載の壁面構造。
【請求項１３】
前記転倒防止部材は、一端が前記パネル本体の前面に固定され、他端が上または下に隣接する前記パネル本体の前面に当接することを特徴とする請求項１から請求項１０のいずれか１項に記載の壁面構造。
【請求項１４】
前記転倒防止部材は、隣接する前記パネル本体に当接する係合面が隣接する前記パネル本体と所定の間隔があくように設けられていることを特徴とする請求項１３に記載の壁面構造。
【請求項１５】
前記転倒防止部材は、隣接する前記パネル本体に当接する係合面側に出し入れ自在な調整治具を介して隣接する前記パネル本体に当接することを特徴とする請求項１４に記載の壁面構造。
【請求項１６】
前記転倒防止部材は、前記パネル本体との取付箇所よりも前記他端の反対側に離れた前記一端に、前記パネル本体の前面に当接する支点が設けられていることを特徴とする請求項１３から請求項１５のいずれか１項に記載の壁面構造。
【請求項１７】
前記連結部材は、前記パネル本体と別体で形成され、前記パネル本体に着脱自在または回動自在に取り付けられることを特徴とする請求項１から請求項１６のいずれか１項に記載の壁面構造。
【手続補正２】
【補正対象書類名】明細書
【補正対象項目名】０００８
【補正方法】変更
【補正の内容】
【０００８】
本発明はこのような課題を解決するためになされたもので、
下段のパネル本体に設けられた連結部材の下段のパネル本体から突出した端部が上段のパネル本体の背面に当接して上段のパネル本体の背面を押さえると共に、上段のパネル本体に設けられた連結部材の上段のパネル本体から突出した端部が下段のパネル本体の背面に当接して下段のパネル本体の背面を押さえて、上段のパネル本体の壁面背面側へ倒れる力が各連結部材を介して上段および下段の各パネル本体の背面で受けられ、かつ、上段のパネル本体の壁面前面側へ倒れる力が転倒防止部材で受けられて、上段のパネル本体が下段のパネル本体上に自立し、隣接する上段および下段の各パネル本体が複数段垂直に積み上げられて壁面を構成する壁面構造とした。
【手続補正３】
【補正対象書類名】明細書
【補正対象項目名】０００９
【補正方法】変更
【補正の内容】
【０００９】
また、本発明は、
パネル本体の上端部または下端部の少なくとも何れか一方に設けられて隣接するパネル本体の下端部または上端部に係合する係合部がパネル本体に設けられ、
下段のパネル本体に設けられた連結部材の下段のパネル本体から突出した端部が上段のパネル本体の背面に当接して上段のパネル本体の背面を押さえると共に、下段のパネル本体の上端部に設けられた係合部が上段のパネル本体の下端部もしくは上段のパネル本体の下端部に設けられた係合部が下段のパネル本体の上端部に係合して、上段のパネル本体の壁面背面側へ倒れる力が連結部材および係合部を介して上段のパネル本体の背面および上段のパネル本体の下端部もしくは下段のパネル本体の上端部で受けられ、かつ、上段のパネル本体の壁面前面側へ倒れる力が転倒防止部材で受けられて、
または、上段のパネル本体に設けられた連結部材の上段のパネル本体から突出した端部が下段のパネル本体の背面に当接して下段のパネル本体の背面を押さえると共に、上段のパネル本体の下端部に設けられた係合部が下段のパネル本体の上端部もしくは下段のパネル本体の上端部に設けられた係合部が上段のパネル本体の下端部に係合して、上段のパネル本体の壁面背面側へ倒れる力が連結部材および係合部を介して下段のパネル本体の背面および下段のパネル本体の上端部もしくは上段のパネル本体の下端部で受けられ、かつ、上段のパネル本体の壁面前面側へ倒れる力が転倒防止部材で受けられて、
上段のパネル本体が下段のパネル本体上に自立し、隣接する上段および下段の各パネル本体が複数段垂直に積み上げられて壁面を構成する壁面構造とした。
【手続補正４】
【補正対象書類名】明細書
【補正対象項目名】００１０
【補正方法】変更
【補正の内容】
【００１０】
これらの構成によれば、パネル本体を複数段垂直に積み上げる際、パネル本体の双方から突出してパネル本体に設けられた連結部材の端部が隣接するパネル本体の背面を押さえると共に、パネル本体の転倒を転倒防止部材が防止することにより、上下のパネル本体を敷設延長方向における所望の位置で支え合わせることができる。また、パネル本体の一方から突出して設けられた連結部材の端部が隣接するパネル本体の背面を押さえ、パネル本体の少なくとも何れか一方の端部に設けられた係合部が隣接するパネル本体の下端部もしくは上端部に係合すると共に、パネル本体の転倒を転倒防止部材が防止することにより、上下のパネル本体を敷設延長方向における所望の位置で支え合わせることができる。
【手続補正５】
【補正対象書類名】明細書
【補正対象項目名】００１１
【補正方法】変更
【補正の内容】
【００１１】
このため、パネル本体を積み上げる際、上下のパネル本体の位置関係を考慮することなく、積み上げていくことが可能となる。従って、パネルを積み上げる際に上下のパネルの位置関係がずれることで、従来のように、上下の各パネルのボルト穴や連結穴どうしが合わなくなり、上下の各パネルをボルトやネジで連結できなくなって、壁面が構築できなくなることはない。また、パネル本体を複数段垂直に積み上げる際、上下のパネル本体どうしを連結部材または係合部によって単に当接または係合させると共に、パネル本体の転倒を転倒防止部材により防止させることで、上下のパネル本体どうしが支え合い、パネル本体が自立する。このため、パネルを自立させるために従来行われた、上下のパネルをボルトやネジで締結させる作業や、パネルを支える仮設サポート材などを設ける作業が必要とされないので、パネル本体の積み上げ作業効率は向上する。また、パネル本体の形状を薄く構成できるので、壁面の製作コストを大幅に削減できる。
【手続補正６】
【補正対象書類名】明細書
【補正対象項目名】００１４
【補正方法】変更
【補正の内容】
【００１４】
また、本発明は、パネル本体の上方に端部が突設された連結部材とパネル本体の下方に端部が突設された連結部材とが、一方向において互いに揃わないように所定間隔ずらしてパネル本体に配置されていることを特徴とする。
【手続補正７】
【補正対象書類名】明細書
【補正対象項目名】００１５
【補正方法】変更
【補正の内容】
【００１５】
この構成によれば、壁面の敷設延長方向が真っ直ぐな直線施工時などにおいて、下方に積まれるパネル本体の真上に上方のパネル本体を積み上げるような規則的な積み方を行う場合、パネル本体の上方に端部が突設された連結部材とパネル本体の下方に端部が突設された連結部材とが一方向において互いに揃い、重なってぶつかるのを回避することができる。
【手続補正８】
【補正対象書類名】明細書
【補正対象項目名】００２０
【補正方法】変更
【補正の内容】
【００２０】
また、本発明は、連結部材が、隣接するパネル本体に当接する係合面が隣接するパネル本体と所定の間隔があくように設けられていることを特徴とする。
【手続補正９】
【補正対象書類名】明細書
【補正対象項目名】００２１
【補正方法】変更
【補正の内容】
【００２１】
曲線施工で上下のパネル本体の位置関係を揃えずにパネル本体を積み上げる場合、下方に積まれるパネル本体と上方に積まれるパネル本体とは一面とならず、上下のパネル本体の前面側または背面側の間で出入りが生じることになる。しかし、この構成によれば、連結部材の、隣接するパネル本体に当接する係合面が隣接するパネル本体と所定の間隔があくように設けられているため、この予め設けられた隙間により、連結部材の係合面と隣接するパネル本体とがぶつかり合うことなく、上下のパネル本体の位置関係を揃えずに行う曲線施工によってパネル本体を作業効率よく積み上げることが可能になる。また、この予め設けられた隙間により、パネル本体の前面に転倒防止部材を予め取り付けた状態でパネル本体を効率的に積み上げる場合には、パネル本体と連結部材とが相互に干渉することなく、スムーズにパネル本体を積み上げることが可能になる。また、上下のパネル本体の位置関係を揃えて、下方に積まれるパネル本体と上方に積まれるパネル本体とが一面となる場合にも、上述したように、パネル本体と連結部材とが相互に干渉することなく、スムーズにパネル本体を積み上げることが可能になる。
【手続補正１０】
【補正対象書類名】明細書
【補正対象項目名】００２６
【補正方法】変更
【補正の内容】
【００２６】
また、本発明は、連結部材が、隣接するパネル本体に当接する係合面側に出し入れ自在な調整治具を介して隣接するパネル本体に当接することを特徴とする。
【手続補正１１】
【補正対象書類名】明細書
【補正対象項目名】００２７
【補正方法】変更
【補正の内容】
【００２７】
この構成によれば、連結部材が、隣接するパネル本体に当接する係合面側に出し入れ自在な調整治具を介して、隣接するパネル本体に当接するため、上下のパネル本体の背面が面一にならない場合でも、隣接するパネル本体に当接する係合面側への調整治具の出し入れを調整することにより、上下のパネル本体を互いに容易に支え合わせてぐらつかなくすることができ、上下のパネル本体の位置関係を揃えずに行う曲線施工の作業効率が向上する。
【手続補正１２】
【補正対象書類名】明細書
【補正対象項目名】００２８
【補正方法】変更
【補正の内容】
【００２８】
また、本発明は、連結部材が、パネル本体との取付箇所よりも端部の反対側に離れた一端に、パネル本体の背面に当接する支点が設けられていることを特徴とする。
【手続補正１３】
【補正対象書類名】明細書
【補正対象項目名】００２９
【補正方法】変更
【補正の内容】
【００２９】
この構成によれば、パネル本体の積み上げ作業中に、パネル本体の前面側からパネル本体を介して連結部材の端部側に何らかの負荷がかかっても、連結部材の一端に設けられた支点が取付箇所を挟む反対側でパネル本体の背面に当接することにより、この負荷がパネル本体の背面に当接する支点でも受けられる。このため、連結部材の端部側にかかる負荷は、連結部材の取付箇所と連結部材の一端に設けられた支点とで支えられ、取付箇所のみで連結部材が固定されている場合に比べて、連結部材はぐらつくことなく確実にパネル本体に固定される。
【手続補正１４】
【補正対象書類名】明細書
【補正対象項目名】００３０
【補正方法】変更
【補正の内容】
【００３０】
また、本発明は、転倒防止部材が、隣接する各パネル本体の各連結部材を相互に固定する、または、隣接するパネル本体の一方の連結部材と他方のパネル本体とを相互に固定する、または、隣接する各パネル本体自体を相互に固定する、または、パネル本体の背面どうしが対向して構成される壁面の各パネル本体自体を相互に固定することを特徴とする。
【手続補正１５】
【補正対象書類名】明細書
【補正対象項目名】００３１
【補正方法】変更
【補正の内容】
【００３１】
この構成によれば、パネル本体を積み上げる作業において、転倒防止部材により、隣接する各パネル本体の各連結部材、または、隣接するパネル本体の一方の連結部材と他方のパネル本体、または、隣接する各パネル本体自体、または、パネル本体の背面どうしが対向して構成される壁面の各パネル本体自体が、相互に固定されることで、パネル本体が転倒するのが防止されて、パネル本体が自立する。
【手続補正１６】
【補正対象書類名】明細書
【補正対象項目名】００３４
【補正方法】変更
【補正の内容】
【００３４】
また、本発明は、転倒防止部材が、一端がパネル本体の前面に固定され、他端が上または下に隣接するパネル本体の前面に当接することを特徴とする。
【手続補正１７】
【補正対象書類名】明細書
【補正対象項目名】００３５
【補正方法】変更
【補正の内容】
【００３５】
この構成によれば、パネル本体を積み上げる作業において、一端がパネル本体の前面に固定され、他端が上または下に隣接するパネル本体の前面に当接する転倒防止部材により、パネル本体が壁面の前面側へ転倒するのが防止される。
【手続補正１８】
【補正対象書類名】明細書
【補正対象項目名】００３６
【補正方法】変更
【補正の内容】
【００３６】
また、本発明は、転倒防止部材が、隣接するパネル本体に当接する係合面が隣接するパネル本体と所定の間隔があくように設けられていることを特徴とする。
【手続補正１９】
【補正対象書類名】明細書
【補正対象項目名】００３７
【補正方法】変更
【補正の内容】
【００３７】
この構成によれば、上下のパネル本体の位置関係を揃えずに行う曲線施工でパネル本体を積み上げる場合、下方に積まれるパネル本体と上方に積まれるパネル本体とは一面とならず、上下のパネル本体の前面側または背面側の間で出入りが生じ、転倒防止部材の係合面と隣接するパネル本体とがぶつかり合うことになる。しかし、この構成によれば、転倒防止部材の、隣接するパネル本体に当接する係合面が隣接するパネル本体と所定の間隔があくように設けられているため、この予め設けられた隙間により、転倒防止部材の係合面と隣接するパネル本体とがぶつかり合うことなく、上下のパネル本体の位置関係を揃えずに行う曲線施工時にパネル本体が壁面の前面側へ転倒するのが防止される。また、この予め設けられた隙間により、パネル本体の前面に転倒防止部材を予め取り付けた状態でパネル本体を効率的に積み上げる場合には、パネル本体と転倒防止部材とが相互に干渉することなく、スムーズにパネル本体を積み上げることが可能になる。特に、パネル本体の前面に凹凸状の模様が付いている場合、模様に転倒防止部材が干渉することなく、スムーズにパネル本体を積み上げることが可能になる。また、上下のパネル本体の位置関係を揃えて、下方に積まれるパネル本体と上方に積まれるパネル本体とが一面となる場合にも、上述したように、パネル本体と転倒防止部材とが相互に干渉することなく、スムーズにパネル本体を積み上げることが可能になる。
【手続補正２０】
【補正対象書類名】明細書
【補正対象項目名】００３８
【補正方法】変更
【補正の内容】
【００３８】
また、本発明は、転倒防止部材が、隣接するパネル本体に当接する係合面側に出し入れ自在な調整治具を介して隣接するパネル本体に当接することを特徴とする。
【手続補正２１】
【補正対象書類名】明細書
【補正対象項目名】００３９
【補正方法】変更
【補正の内容】
【００３９】
この構成によれば、転倒防止部材が、隣接するパネル本体に当接する係合面側に出し入れ自在な調整治具を介して、隣接するパネル本体に当接するため、上下のパネル本体の前面が面一にならない場合でも、また、上下のパネル本体の前面に凹凸状の模様が付いていたりする場合でも、隣接するパネル本体に当接する係合面側への調整治具の出し入れを調整することにより、転倒防止部材の他端を上下のパネル本体の前面に容易にぐらつくことなく当接させることができる。